(57)【特許請求の範囲】
【請求項１】
下部が開口したハウジングと、ハウジング内部に設けられた加湿モジュールと、加湿モジュールに対する給水装置と、加湿モジュールに対する送風機と、加湿モジュールから流下する水を貯めるドレンパンを備えた気化式加湿器であって、
前記ドレンパンの両端部にそれぞれ設けられた突起と、
前記ハウジングの向かい合う内面にそれぞれ設けられた支持部材と、
前記支持部材に設けられた、前記突起のホルダと、
前記ホルダの下部に設けられた、前記突起の出入口と、
前記突起の出入口を開閉する方向に移動するストッパと、
前記突起の出入口を閉鎖する位置に、前記ストッパを固定するねじと、
前記突起の出入口の下方に設けられた落下防止部材と、
前記落下防止部材の一端において、下方に向けて開口した通過部と、
を有する気化式加湿器。
【請求項２】
下部が開口したハウジングと、ハウジング内部に設けられた加湿モジュールと、加湿モジュールに対する給水装置と、加湿モジュールに対する送風機と、加湿モジュールから流下する水を貯めるドレンパンを備えた気化式加湿器であって、
前記ドレンパンの両端部にそれぞれ設けられた支持部材と、
前記ハウジングの向かい合う内面にそれぞれ設けられた突起と、
前記支持部材に設けられた、前記突起のホルダと、
前記ホルダの上部に設けられた、前記突起の出入口と、
前記突起の出入口を開閉する方向に移動するストッパと、
前記突起の出入口を閉鎖する位置に、前記ストッパを固定するねじと、
前記突起の出入口の上方に設けられた落下防止部材と、
前記落下防止部材の一端において、上方に向けて開口した通過部と、
を有する気化式加湿器。
【請求項３】
前記突起が複数設けられ、前記突起の数に対応して、前記ホルダ、出入口、落下防止部材及び通過部が複数設けられている請求項１または請求項２に記載の気化式加湿器。
【請求項４】
前記ストッパが水平方向に移動する一枚の板状の部材で、前記複数の出入口を閉鎖するものである請求項３に記載の気化式加湿器。
【請求項５】
前記ストッパを固定する部材が前記ストッパに設けられたねじであって、前記ストッパの解除位置において、前記ストッパと前記支持部材を固定するものである請求項１から請求項４のいずれかに記載の気化式加湿器。
【請求項６】
前記ドレンパンと前記加湿モジュールが固定され、前記ドレンパンと共に前記加湿モジュールを前記ハウジングから取り外すものである請求項１から請求項５のいずれか１項に記載の気化式加湿器。
【発明の詳細な説明】
【技術分野】
【０００１】
本発明は、ドレンパンの取付構造に改良を施した気化式加湿器に関する。
【背景技術】
【０００２】
気化式加湿器は、処理空気を加湿用の水を含んだ加湿モジュールに接触させることで加湿する。加湿器の運転中、加湿モジュールには加湿用の水が供給され、処理空気と接触した水は加湿モジュール表面に沿って流下し、加湿器の下部に設けられたドレンパンに回収される。ドレンパンに回収された水は、ドレンポンプによって加湿器の外部に排出される。
【０００３】
加湿モジュールは給水によるスケールの発生や空気中の塵埃の付着により洗浄や交換が必要になる。またドレンパン内部には残水が溜まっていることから、微生物や藻などが発生することがあり、加湿モジュールとドレンパンを加湿器のハウジング内部から取り外して定期的に清掃することが必要である。特に、天井取り付け型の気化式加湿器は、建物の床面から高い箇所に設置されていることから、作業員が脚立などを使用して加湿器のハウジング内部から加湿モジュールとドレンパンを取り外しており、加湿モジュールとドレンパンの脱着作業が困難であった。そのため、加湿モジュールとドレンパンの着脱作業を容易とした気化式加湿器として、特許文献１や特許文献２に記載のものが、従来から提案されていた。
【先行技術文献】
【特許文献】
【０００４】
【特許文献１】特開２０１２−５７８９０号公報
【特許文献２】特開平１０−２８８３５７号公報
【発明の概要】
【発明が解決しようとする課題】
【０００５】
従来の気化式加湿器では、ドレンパンがハウジング内部に対してねじ止めされていたため、ドレンパンの取り外しの際に、ねじを外してしまうとドレンパンがハウジングから外れて落下することになる。そのため、１人の作業員がドレンパンが落下しないように下から支え、その間にもう１人の作業員がねじを緩めて外していた。このように、従来技術では、ドレンパンの取り外しを安全に行うためには複数の作業員が必要であった。
【０００６】
特に、ドレンパンと加湿モジュールを一体に固定した加湿モジュール付のドレンパンでは、加湿モジュールの点検やドレンパンの清掃・保守などのために、一体になったドレンパンと加湿モジュールを天井から取り外す必要があるが、両者の重量もかなり大きくなることから、その取り外し作業を１人で行うことは困難であった。
【０００７】
本発明は、上記のような従来技術の問題点を解決するために提案されたものである。本発明の目的は、加湿モジュール付のドレンパンのように重量の大きなドレンパンであっても、ハウジング内部からドレンパンを簡単かつ安全に取り外すことのできる気化式加湿器を提供することである。
【課題を解決するための手段】
【０００８】
本発明の気化式加湿器は、次のような構成を有することを特徴とする。
（１）下部が開口したハウジングと、ハウジング内部に設けられた加湿モジュールと、加湿モジュールに対する給水装置と、加湿モジュールに対する送風機と、加湿モジュールから流下する水を貯めるドレンパン。
（２）ドレンパンの両端部にそれぞれ設けられた突起。
（３）ハウジングの向かい合う内面にそれぞれ設けられた支持部材。
（４）支持部材に設けられた、突起のホルダ。
（５）ホルダの下部に設けられた、突起の出入口。
（６）突起の出入口を開閉する方向に移動するストッパ。
（７）突起の出入口を閉鎖する位置に、ストッパを固定するねじ。
（８）突起の出入口の下方に設けられた落下防止部材。
（９）落下防止部材の一端において、下方に向けて開口した通過部。
【０００９】
以下のような構成を有する気化式加湿器も、本発明の一態様である。
（１）下部が開口したハウジングと、ハウジング内部に設けられた加湿モジュールと、加湿モジュールに対する給水装置と、加湿モジュールに対する送風機と、加湿モジュールから流下する水を貯めるドレンパン。
（２）ドレンパンの両端部にそれぞれ設けられた支持部材。
（３）ハウジングの向かい合う内面にそれぞれ設けられた突起。
（４）支持部材に設けられた、突起のホルダ。
（５）ホルダの上部に設けられた、突起の出入口。
（６）突起の出入口を開閉する方向に移動するストッパ。
（７）突起の出入口を閉鎖する位置に、ストッパを固定するねじ。
（８）突起の出入口の上方に設けられた落下防止部材。
（９）落下防止部材の一端において、上方に向けて開口した通過部。
【発明の効果】
【００１０】
本発明は、固定ねじを緩めてストッパを移動させた場合に、ドレンパンがその自重で落下しても、突起と落下防止部材が引っ掛かることで、ドレンパンがそれ以上落下することがない。そのため、片側のストッパを外した後は、ドレンパンの片側をハウジングに引っ掛けた状態で反対側のストッパを外すことが可能になり、ドレンパンを支持していなくても反対側のストッパを外すことができる。
両方のストッパを外すと、ドレンパンの両側の突起と落下防止部材が引っ掛かった状態になるので、ドレンパンを水平方向に移動させて突起と落下防止部材の引っ掛かりを解除して通過部から下方に移動させることで、ドレンパンをハウジングから下方に取り外すことができる。
このように、本発明によれば、ドレンパンを下から支持しながら両側のストッパを外す作業が不要になるので、１人の作業員で簡単にドレンパンを取り外すことができる。
【図面の簡単な説明】
【００１１】
【図１】第１実施形態において、ハウジングを取り外した状態の斜視図。
【図２】第１実施形態において、加湿モジュール付ドレンパンを左右の支持部材で支持している状態の斜視図。
【図３】第１実施形態において、ドレンパンを左右の支持部材から下方に取り外した状態の斜視図。
【図４】第１実施形態において、ドレンパンが支持部材に支持されている状態の斜視図。
【図５】第１実施形態において、ドレンパンが支持部材から落下を開始した状態の斜視図。
【図６】第１実施形態において、ドレンパンが落下防止部材に支持されている状態の斜視図。
【図７】第１実施形態において、ドレンパンが落下防止部材に沿って横に移動している状態の斜視図。
【図８】第１実施形態において、ドレンパンが通過部から落下した状態の斜視図。
【図９】第２実施形態の支持部材と突起を示す斜視図。
【発明を実施するための形態】
【００１２】
［１．第１実施形態］
［１−１．構成］
本実施形態の加湿器は、建物の天井の内部に設置されるハウジング１を有する。ハウジング１は天井に設けられた開口部の内側に固定され、ハウジング１の下部は天井面と略同一面になっている。ハウジング１の下部に開口部が設けられ、この開口部がルーバーを有する化粧グリル２によって覆われている。化粧グリル２には、吸気口と吹出口が設けられている。
【００１３】
ハウジング１内には、送風機３、加湿モジュール４、給水装置５及びドレンパン６が設けられている。送風機３は、その吹き出し口が加湿モジュール４に向き合うように配置される。給水装置５は、加湿モジュール４の上部に給水するもので、図示しない電磁弁により給水と停止が制御される。ドレンパン６は、加湿モジュール４の下部に設けられ、加湿モジュール４から流れ落ちる水を溜めておくものである。
【００１４】
ドレンパン６は、ハウジング１に対して取り外し可能に固定される。ドレンパン６は上面が開口した長方形の部材である。ドレンパン６の長手方向の両端には、一定の間隔で３個の突起７が設けられている。各突起７は垂直方向に伸びる短い板である。
【００１５】
加湿モジュール４はドレンパン６に取り外し可能に固定されている。ドレンパン６をハウジング１から取り外すことで加湿モジュール４も同時にハウジング１から取り外すことができる。
【００１６】
ハウジング１の内側にはドレンパン６の支持部材８が設けられる。この支持部材８は一対の突起７の互いに向き合うハウジング１の２つの面に設けられて、ドレンパン６の両端を支持する。支持部材８のドレンパン６と向き合う面には３個のホルダ９が設けられている。ホルダ９は垂直に延びる溝であり、その下部が開口して、突起７の出入口１０になっている。突起７はホルダ９内で上下に移動し、下方の出入口１０からホルダ９外部に出て行く。
【００１７】
３個のホルダ９の下部には出入口１０を塞ぐように１本のストッパ１１が設けられている。ストッパ１１は、支持部材８の横幅の約半分の長さを有する横に長い板によって作製されている。ストッパ１１は、ホルダ９の下方に水平方向に設けられたストッパ溝１２に、水平方向に移動可能に支持されている。ストッパ溝１２はストッパ１１の約２倍の長さで、ホルダ９の下方では支持部材８の内側に設けられ、ホルダ９の下方から外れた位置、すなわちストッパ１１の解除位置では支持部材８の外側に設けられている。そのため、支持部材８には、その内側から外側にストッパ１１が移動する貫通孔１３が設けられている。
【００１８】
ストッパ溝１２におけるストッパ１１の解除位置には、ストッパ溝１２の長さ方向に沿って長溝１４が開口している。ストッパ１１の解除側の端部には、ストッパ１１を固定するための部材としてねじ１５が設けられている。このねじ１５は、長溝１４を貫通して支持部材８の内側に突出しており、ねじ１５の頭部とストッパ１１により長溝１４の縁を締め付けることで、ストッパ１１を支持部材８に固定する。
【００１９】
ストッパ１１の下方には、３個の四角形の空間部１６が設けられている。空間部１６の縦の長さは突起７の長さよりも大きく、３個のホルダ９から下降した３本の突起７が水平方向に移動することができる長さである。空間部１６の上部には、ホルダ９を構成する縦溝の延長上に、ホルダ９の縦溝よりも短い縦溝１７が設けられている。空間部１６の下辺は突起７の下端が当たる落下防止部材１８である。空間部１６の横の長さは、図示の実施形態では突起７の間隔とほぼ同一であるが、落下防止部材１８から突起７が外れない寸法であれば、突起７の間隔とほぼ同一でなくても良い。
【００２０】
落下防止部材１８におけるホルダ９と反対側の端部には、空間部１６から下方に開口した通過部１９が設けられている。この通過部１９は、突起７が縦方向に移動することのできる幅を有する。
【００２１】
［１−２．作用］
本実施形態の加湿器において、ドレンパン６の取り付け状態では、図２に示すように、ドレンパン６の両側に設けられた３つの突起７を、左右の支持部材８に設けられた３つのホルダ９内に収納している。この状態から、図３に示すように、ドレンパン６を左右の支持部材８から下方に取り外すには、図４から図８に示す作業を行う。
【００２２】
図４は、ドレンパン６が支持部材８に固定されている状態である。３本の突起７はその上端が３個のホルダ９の上端とほぼ同位置になるように、ホルダ９の内部に収容されている。このとき、ストッパ１１は各ホルダ９の下方に移動し、突起７がホルダ９から落下しないように支持している。ストッパ１１は、ねじ１５の頭部を締め付けることで、ストッパ溝１２内で固定され、移動することがない。
【００２３】
ドレンパン６を取り外すには、まず、ドレンパン６の片側について、支持部材８にストッパ１１を固定しているねじ１５の頭部を緩め、ねじ１５を長溝１４に沿って解除方向に押すことで、ストッパ１１をストッパ溝１２に沿って解除方向に移動させる。この時、ねじ１５を緩めただけではストッパ１１が移動しないので、ドレンパン６を支持していなくてもドレンパン６が落下することはない。従って、ねじ１５を緩める作業を簡単に行うことができる。
【００２４】
ねじ１５を緩めた後は、ドレンパン６を下から片手で支えながらストッパ１１を移動させる。ストッパ１１が３個のホルダ９の下方から移動させると、ホルダ９の出入口１０が開くので、図５に示すように、出入口１０を通して突起７を下降させる。落下した突起７は、図６に示すように、空間部１６の下辺である落下防止部材１８に引っ掛かるため、それ以上ドレンパン６が落下することがない。
【００２５】
この状態で、ドレンパン６の反対側についても同様な作業を行い、ドレンパン６の両側の突起７が落下防止部材１８に引っ掛かった状態で、図７に示すように、空間部１６内においてドレンパン６を横移動させる。突起７が落下防止部材１８の端部に達した後は、通過部１９を通して突起７を落下防止部材１８の下方に移動させることで、図８に示すように、ドレンパン６を支持部材８から取り外す。
【００２６】
前記の様にして取り外したドレンパン６を支持部材８に固定するには、前記とは逆の作業を行う。
【００２７】
前記の説明では、ドレンパン６の片側について突起７を落下防止部材１８に引っ掛けた後、ドレンパン６の反対側についてねじ１５を緩めてストッパ１１を移動させたが、両側のねじ１５を緩めた後、両側のストッパ１１を解除方向に移動させても良い。
ドレンパン６が軽量であれば、片手でドレンパン６を支持した状態で、両方のストッパ１１を移動させてから、両側の突起７をホルダ９から取り出すこともできる。この手順によれば、ドレンパン６を常に水平に保持した状態で取り外すことが可能である。
【００２８】
［１−３．効果］
本実施形態では、ドレンパン６に設けた突起７をストッパ１１や落下防止部材１８で支持した状態で、ねじ１５を緩めたり、ストッパ１１の解除を行うことができる。その結果、人手で支持しながらドレンパン６の固定を解除する必要がなくなるので、加湿モジュール４を固定したドレンパンのように重量のあるドレンパン６であっても、１人の作業員が簡単にドレンパン６の取り外しを行うことができる。
【００２９】
ドレンパン６を直接ねじ止めした従来技術では、ねじにドレンパン６の荷重が直接加わることからねじを緩める作業に力が必要であったが、本実施形態では、ねじ１５はストッパ１１の移動を防止するだけのものであり、より軽い力で緩めることができる。ストッパ１１の移動は、ドレンパン６を下から少し持ち上げるだけで簡単に行え、しかも、従来技術のように何度も回転させる必要もないことから、ドレンパン６を持ち上げている時間も短く、作業員の負担になることがない。仮に、ストッパ１１が外れた状態でドレンパン６が落下しても、突起７が落下防止部材１８に引っかかるので、ドレンパン６が天井から落下する事故にはならない。
【００３０】
［２．他の実施形態］
（１）図示の実施形態では、ドレンパン６の両端にそれぞれ３個の突起７を設けたが、突起７の数は２つでも、４つ以上でもよい。各突起７は、垂直方向に伸びる板状の部材に限らず、水平方向に伸びる板状の部材でも、丸棒、角棒、筒状の部材であってもよい。この突起７の形状に合わせて、支持部材８に設けるホルダ９、落下防止部材１８及び通過部１９の形状も適宜変更できる。
【００３１】
（２）ストッパ１１は、横方向にスライドする板状の部材に限定されない。突起７の出入口１０を塞ぐものであれば、軸を中心として回転方向に移動するストッパ１１を使用することもできる。ストッパ１１を固定する部材はねじ１５に限定されず、ピンやフックなど、ストッパ１１を出入口１０の閉鎖位置に固定したり解除できるものであれば、他の形状でもよい。
【００３２】
（３）図示の実施形態では、突起７をドレンパン６に設け、ホルダ９、落下防止部材１８及び通過部１９を支持部材８に設けたが、ドレンパン６にホルダ９、落下防止部材１８及び通過部１９を設け、支持部材８に突起７を設けてもよい。ドレンパン６をハウジング１に固定するストッパ１１は、第１実施形態のように支持部材８に設ける代わりに、ドレンパン６に設けてもよい。
【００３３】
この場合は、図９のように、突起７と支持部材８を第１実施形態とは上下反対に構成することで、ドレンパン６に設けた落下防止部材１８を支持部材８の突起７に引っかけることができる。
【００３４】
すなわち、支持部材８にホルダ９を設け、ホルダ９の上部に突起７の出入口１０を設ける。この突起７の出入口１０には、出入り口を開閉する方向に移動するストッパ１１を設け、支持部材８における突起７の出入口１０を閉鎖する位置にストッパ１１を固定するねじ１５を設ける。突起７の出入口１０の上方に落下防止部材１８を設け、ドレンパン６と共に支持部材８が落下した場合、支持部材８に設けた落下防止部材１８が突起７に引っかかって、ドレンパン６のそれ以上の落下を防ぐ。その後、ドレンパン６を落下防止部材１８の表面に沿って横に移動させ、落下防止部材１８の端部に上方に向けて開口した通過部１９に突起７を通すことで、ドレンパン６を突起７の下方に移動させる。
【００３５】
（４）図示の実施形態は、加湿モジュールを固定したドレンパンを、加湿モジュールと共に天井のハウジング内から取り外すものであるが、加湿モジュールとドレンパンが別体に設けられ、ドレンパンのみを取り外す構造の湿式加湿器にも本発明を適用することができる。
【符号の説明】
【００３６】
１…ハウジング
２…化粧グリル
３…送風機
４…加湿モジュール
５…給水装置
６…ドレンパン
７…突起
８…支持部材
９…ホルダ
１０…出入口
１１…ストッパ
１２…ストッパ溝
１３…貫通孔
１４…長溝
１５…ねじ
１６…空間部
１７…短い縦溝
１８…落下防止部材
１９…通過部
【図１】
0006387291.tif 000002
【図２】
0006387291.tif 000003
【図３】
0006387291.tif 000004
【図４】
0006387291.tif 000005
【図５】
0006387291.tif 000006
【図６】
0006387291.tif 000007
【図７】
0006387291.tif 000008
【図８】
0006387291.tif 000009
【図９】
0006387291.tif 000010